(57)【要約】【課題】防火性能を向上させること。【解決手段】建具は、複数の側壁部６１ａ〜６１ｄで構成された樹脂製の中空部６１と、中空部６１内に設けられた不燃性または難燃性の補強部材６４と、中空部６１外に設けられ、加熱されることで膨張する熱膨張性部材ＴＲ８を取り付ける不燃性または難燃性の取付部材１０とを備える。取付部材１０は、複数の側壁部６１ａ〜６１ｄのうち第１の側壁部６１ａを介して、第１の締結部材Ｓｃ６にて補強部材６４に固定される。第１の側壁部６１ａには、貫通孔６１５が設けられている。取付部材１０には、補強部材６４に向けて突出し、貫通孔６１５内に位置する不燃性または難燃性の位置固定部１４が設けられている。【選択図】図６
2019070275.tif 000002
【特許請求の範囲】
【請求項１】
室内外を仕切る建具であって、
複数の側壁部で構成された樹脂製の中空部と、
前記中空部内に設けられた不燃性または難燃性の補強部材と、
前記中空部外に設けられ、加熱されることで膨張する熱膨張性部材を取り付ける不燃性または難燃性の取付部材とを備え、
前記取付部材は、
前記複数の側壁部のうち第１の側壁部を介して、第１の締結部材にて前記補強部材に固定され、
前記第１の側壁部には、
貫通孔が設けられ、
前記補強部材及び前記取付部材の少なくとも一方の部材には、
他方の部材に向けて突出し、前記貫通孔内に位置する不燃性または難燃性の位置固定部が設けられている
ことを特徴とする建具。
【請求項２】
前記位置固定部は、
前記貫通孔を介して前記他方の部材に当接する
ことを特徴とする請求項１に記載の建具。
【請求項３】
当該建具は、
枠体と、当該枠体内にスライド移動可能に設けられ、当該枠体内を開閉する障子とを有する引き形式窓であり、
前記中空部、前記補強部材、及び前記取付部材は、
前記障子の戸尻側框に設けられ、
前記枠体には、
前記障子を閉じた状態で、前記戸尻側框における前記第１の側壁部に対して当該建具の見込み方向に対向する対向部材が設けられている
ことを特徴とする請求項１または２に記載の建具。
【請求項４】
前記戸尻側框に設けられた前記取付部材は、
前記対向部材に係止する煙返し部材である
ことを特徴とする請求項３に記載の建具。
【請求項５】
前記中空部、前記補強部材、及び前記取付部材は、
前記戸尻側框及び前記対向部材の双方にそれぞれ設けられ、
前記対向部材に設けられた前記取付部材は、
前記戸尻側框に設けられた前記煙返し部材に係止する煙返し部材である
ことを特徴とする請求項４に記載の建具。
【請求項６】
前記戸尻側框に設けられた前記取付部材は、
複数、設けられ、
複数の前記取付部材は、
前記戸尻側框の長手方向に連設され、
複数の前記取付部材のうち少なくともいずれかの取付部材は、
前記対向部材に対向する面に前記熱膨張性部材が取り付けられる固定部と、
前記固定部の縁部から前記対向部材に向けて突出するとともに、前記長手方向に延在する重なり片とを備え、
前記重なり片は、
前記長手方向に連設される他の前記取付部材に対して前記戸尻側框の見付け方向に重なり合う
ことを特徴とする請求項３〜５のいずれか一つに記載の建具。
【請求項７】
前記戸尻側框に設けられた前記中空部外には、
錠が設けられ、
前記錠は、
前記複数の側壁部のうち前記第１の側壁部に交差する第２の側壁部を介して、第２の締結部材にて前記補強部材に固定される台座と、
前記台座に対して回動または移動可能に支持されるロック片とを備え、
前記台座は、
前記第２の側壁部に沿って前記第１の側壁部側に突出した状態で固定され、
前記取付部材は、
前記対向部材側に張り出し、前記台座に対向する対向部を備える
ことを特徴とする請求項３〜６のいずれか一つに記載の建具。
【請求項８】
前記位置固定部は、
前記少なくとも一方の部材に一体形成されている
ことを特徴とする請求項１〜７のいずれか一つに記載の建具。
【請求項９】
前記位置固定部は、
前記少なくとも一方の部材とは別体で構成されている
ことを特徴とする請求項１〜７のいずれか一つに記載の建具。
【発明の詳細な説明】
【技術分野】
【０００１】
本発明は、室内外を仕切る建具に関する。
【背景技術】
【０００２】
従来、引違い窓等の建具において、窓枠を構成する各枠部材や、障子を構成する各框部材を樹脂製とした構成が知られている（例えば、特許文献１参照）。
特許文献１に記載の建具では、防火性能を向上させることを目的として、以下の構成を採用している。すなわち、樹脂製の召合せ框の中空部内には、不燃性または難燃性の補強部材が設けられている。また、補強部材には、加熱されることで膨張する熱膨張性部材が貼り付けられている。そして、火炎に晒されて召合せ框が溶融し、当該召合せ框に穴が空くと、熱膨張性部材は、熱膨張により当該穴から中空部外に膨出し、当該召合せ框と当該召合せ框に対向する他の召合せ框との間（召合せ框間）の間隙を閉塞する。
【先行技術文献】
【特許文献】
【０００３】
【特許文献１】特開２００５−３５１００８号公報
【発明の概要】
【発明が解決しようとする課題】
【０００４】
ところで、防火性能を向上させることを目的とした場合には、熱膨張性部材の熱膨張するタイミングを早めるために、火炎に晒される中空部外に当該熱膨張性部材を配設することが好ましい。しかしながら、単純に中空部の外面に熱膨張性部材を貼り付けた場合には、火炎に晒されて中空部が熱変形した場合には、当該熱膨張性部材は、支持を失うこととなり、所望の防火性能を発揮することができない。
そこで、不燃性または難燃性の取付部材を用いることが考えられる。
具体的に、取付部材は、中空部外に設けられ、熱膨張性部材を取り付ける。そして、取付部材は、中空部を構成する側壁部を介して、ネジ等の締結部材にて当該中空部内に設けられた補強部材に固定される。
しかしながら、上述したように構成した場合には、取付部材と補強部材との間には樹脂製の側壁部が介在しているため、火炎に晒されて当該側壁部が溶融した場合には、当該取付部材が傾くこととなる。すなわち、熱膨張性部材の熱膨張する方向が所望の方向から傾くこととなり、防火性能を向上させることができない、という問題がある。
【０００５】
本発明は、上記実情に鑑みて、防火性能を向上させることができる建具を提供することを目的とする。
【課題を解決するための手段】
【０００６】
上記目的を達成するため、本発明に係る建具は、室内外を仕切る建具であって、複数の側壁部で構成された樹脂製の中空部と、前記中空部内に設けられた不燃性または難燃性の補強部材と、前記中空部外に設けられ、加熱されることで膨張する熱膨張性部材を取り付ける不燃性または難燃性の取付部材とを備え、前記取付部材は、前記複数の側壁部のうち第１の側壁部を介して、第１の締結部材にて前記補強部材に固定され、前記第１の側壁部には、貫通孔が設けられ、前記補強部材及び前記取付部材の少なくとも一方の部材には、他方の部材に向けて突出し、前記貫通孔内に位置する不燃性または難燃性の位置固定部が設けられていることを特徴とする。
【０００７】
なお、位置固定部は、補強部材にのみ、取付部材にのみ、あるいは、補強部材及び取付部材の双方にそれぞれ設けられてもよい。以下では、説明の便宜上、位置固定部が取付部材にのみ設けられているものとして説明する。
本発明によれば、火炎に晒されて第１の側壁部が溶融した場合において、取付部材が傾く際に、取付部材に設けられた位置固定部が補強部材（他方の部材）に当接することで、当該取付部材の傾きを抑制することができる。すなわち、熱膨張性部材の熱膨張する方向を所望の方向に維持することが可能となる。
したがって、本発明に係る建具によれば、防火性能を向上させることができる。
【０００８】
また、本発明は、上述した建具において、前記位置固定部は、前記貫通孔を介して前記他方の部材に当接することを特徴とする。
本発明では、位置固定部は、第１の側壁部に形成された貫通孔を介して補強部材（他方の部材）に当接する。すなわち、位置固定部と補強部材（他方の部材）との間には、製造段階で樹脂製の部位が介在していない。このため、火炎に晒されて第１の側壁部が溶融した場合において、取付部材の傾きをより確実に防止することができる。
【０００９】
また、本発明は、上述した建具において、当該建具は、枠体と、当該枠体内にスライド移動可能に設けられ、当該枠体内を開閉する障子とを有する引き形式窓であり、前記中空部、前記補強部材、及び前記取付部材は、前記障子の戸尻側框に設けられ、前記枠体には、前記障子を閉じた状態で、前記戸尻側框における前記第１の側壁部に対して当該建具の見込み方向に対向する対向部材が設けられていることを特徴とする。
ところで、引き形式窓では、火炎に晒された場合において、障子の戸尻側框と枠体に設けられた対向部材（引違い窓の場合には他の障子の召合せ框、片引き窓の場合には方立枠等）との間の間隙は、貫通口となり易く、防火性能に大きく影響を及ぼす。
本発明では、第１の側壁部は、対向部材に対して建具の見込み方向に対向する。言い換えれば、取付部材及び熱膨張性部材は、戸尻側框と対向部材との間の間隙に設けられている。このため、火炎に晒された場合において、熱膨張性部材の熱膨張により戸尻側框と対向部材との間の間隙を閉塞することができ、防火性能を向上させることができる、という効果を好適に実現することができる。
【００１０】
また、本発明は、上述した建具において、前記戸尻側框に設けられた前記取付部材は、前記対向部材に係止する煙返し部材であることを特徴とする。
本発明では、取付部材は、熱膨張性部材を取り付ける機能の他、煙返し部材としての機能も併せ持つ。このため、例えば当該２つの機能を別々に設けた場合と比較して、部品点数を削減することができ、組立作業性の向上及び低コスト化を図ることができる。
【００１１】
また、本発明は、上述した建具において、前記中空部、前記補強部材、及び前記取付部材は、前記戸尻側框及び前記対向部材の双方にそれぞれ設けられ、前記対向部材に設けられた前記取付部材は、前記戸尻側框に設けられた前記煙返し部材に係止する煙返し部材であることを特徴とする。
本発明では、中空部、補強部材、取付部材は、戸尻側框の他、対向部材にもそれぞれ設けられている。このため、対向部材においても、戸尻側框と同様に、熱膨張性部材の熱膨張する方向を所望の方向に維持することが可能となる。したがって、火炎に晒された場合において、戸尻側框及び対向部材に設けられた各熱膨張性部材の熱膨張により戸尻側框と対向部材との間の間隙をより確実に閉塞することができる。
また、対向部材に設けられた取付部材は、戸尻側框に設けられた取付部材と同様に、熱膨張性部材を取り付ける機能の他、煙返し部材としての機能も併せ持つ。このため、例えば当該２つの機能を別々に設けた場合と比較して、部品点数を削減することができ、組立作業性の向上及び低コスト化を図ることができる。
【００１２】
また、本発明は、上述した建具において、前記戸尻側框に設けられた前記取付部材は、複数、設けられ、複数の前記取付部材は、前記戸尻側框の長手方向に連設され、複数の前記取付部材のうち少なくともいずれかの取付部材は、前記対向部材に対向する面に前記熱膨張性部材が取り付けられる固定部と、前記固定部の縁部から前記対向部材に向けて突出するとともに、前記長手方向に延在する重なり片とを備え、前記重なり片は、前記長手方向に連設される他の前記取付部材に対して前記戸尻側框の見付け方向に重なり合うことを特徴とする。
ところで、戸尻側框において、複数の取付部材を当該戸尻側框の長手方向に連設した場合には、各取付部材に取り付けられた各熱膨張性部材間に隙間が生じることとなる。当該隙間は、貫通口となり、防火性能に影響を及ぼす虞がある。
本発明では、複数の取付部材のうち少なくともいずれかの取付部材は、戸尻側框の長手方向に連設される他の取付部材に対して当該戸尻側框の見付け方向に重なり合う重なり片を備える。このため、当該重なり片により上述した隙間を閉塞することができる。また、重なり片を設けることで、不燃性または難燃性の剛性の高い部分が増加するため、当該重なり片を設けた取付部材の強度を向上させることができる。
【００１３】
また、本発明は、上述した建具において、前記戸尻側框に設けられた前記中空部外には、錠が設けられ、前記錠は、前記複数の側壁部のうち前記第１の側壁部に交差する第２の側壁部を介して、第２の締結部材にて前記補強部材に固定される台座と、前記台座に対して回動または移動可能に支持されるロック片とを備え、前記台座は、前記第２の側壁部に沿って前記第１の側壁部側に突出した状態で固定され、前記取付部材は、前記対向部材側に張り出し、前記台座に対向する対向部を備えることを特徴とする。
ところで、台座と補強部材との間には樹脂製の第２の側壁部が介在しているため、火炎に晒されて当該第２の側壁部が溶融した場合には、当該台座が傾く虞がある。すなわち、鎌錠等のロック片がクレセント受け等の受け部材から外れ、戸尻側框と対向部材との間が開いてしまう虞がある。
本発明では、台座は、第２の側壁部に沿って第１の側壁部側に突出した状態で固定されている。また、取付部材は、対向部材側に張り出し、台座に対向する対向部を備える。このため、火炎に晒されて第２の側壁部が溶融した場合において、台座が傾く際に、取付部材（対向部）が台座に当接することで、当該台座の傾きを抑制することができる。すなわち、鎌錠等のロック片がクレセント受け等の受け部材から外れ、戸尻側框と対向部材との間が開いてしまうことを抑制することができる。
【００１４】
また、本発明は、上述した建具において、前記位置固定部は、前記少なくとも一方の部材に一体形成されていることを特徴とする。
本発明では、位置固定部が少なくとも一方の部材（補強部材のみ、取付部材のみ、あるいは、補強部材及び取付部材の双方）に一体形成されているため、例えば位置固定部を当該少なくとも一方の部材とは別体で構成した場合と比較して、部品点数を削減することができ、組立作業性の向上及び低コスト化を図ることができる。
特に、絞り加工や突き出し加工等のプレス加工により、第１の締結部材を挿通する挿通孔の周縁に位置固定部を形成すれば、当該挿通孔の孔加工と同時に位置固定部を形成することができるため、当該加工を容易に行うことができる。
【００１５】
また、本発明は、上述した建具において、前記位置固定部は、前記少なくとも一方の部材とは別体で構成されていることを特徴とする。
本発明では、位置固定部が上述した少なくとも一方の部材とは別体で構成されているため、例えば位置固定部を補強部材や取付部材に一体形成した場合と比較して、当該補強部材や取付部材に絞り加工や突き出し加工等のプレス加工により位置固定部を形成する必要がない。また、位置固定部として、ワッシャ等の汎用の部材を利用することができる。
【発明の効果】
【００１６】
本発明に係る建具によれば、防火性能を向上させることができる。
【図面の簡単な説明】
【００１７】
【図１】本実施の形態１に係る建具を室内側から見た図である。
【図２】第１領域の横断面図である。
【図３】第２領域の横断面図である。
【図４】第３領域の横断面図である。
【図５】第１取付部材を示す斜視図である。
【図６】第１取付部材の取付構造を示す分解斜視図である。
【図７】第１取付部材と第３取付部材との位置関係を室外側から見た図である。
【図８】本実施の形態２に係る第１取付部材を示す斜視図である。
【図９】本実施の形態２に係る第１取付部材の取付構造を示す分解斜視図である。
【図１０】本実施の形態３に係る第１取付部材を示す斜視図である。
【図１１】本実施の形態３に係る第１取付部材の取付構造を示す分解斜視図である。
【図１２】本実施の形態４に係る第１取付部材を示す斜視図である。
【図１３】本実施の形態４に係る第１取付部材の取付構造を示す分解斜視図である。
【図１４】本実施の形態５に係る外煙返し部材を示す斜視図である。
【図１５】本実施の形態５に係る外煙返し部材の取付構造を示す分解斜視図である。
【発明を実施するための形態】
【００１８】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１９】
（実施の形態１）
図１は、本実施の形態１に係る建具１を室内側から見た図である。
なお、以下では、見込み方向及び見付け方向等の用語を用いる。「見込み方向」とは、建具１の奥行きに沿った方向（図２〜図４の矢印Ａｒ参照）である。見込み方向に沿った平面については、見込み面と称する場合がある。「見付け方向」とは、上框３３，４３及び下框３４，４４のように水平に沿った部材の場合、見込み方向に直交した上下に沿う方向であり、戸先框３５，４５、外召合せ框５、及び内召合せ框６のように上下に沿った部材の場合、見込み方向に直交した水平に沿う方向である。見付け方向に沿った平面（見込み方向に直交する平面）については、見付け面と称する場合がある。
建具１は、引違い窓で構成され、窓枠２と、外障子３と、内障子４とを備える。
【００２０】
窓枠２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
これら各枠部材２１〜２４は、塩化ビニル樹脂（ＰＶＣ）等の樹脂製、またはアルミニウム等の金属製の押出形材であり、全長に亘って略一様な断面形状を有する。
【００２１】
外障子３は、内障子４に対して室外側に位置し、窓枠２に対して図１中、左右方向にスライド移動可能に取り付けられている。そして、外障子３は、ガラス材等で構成された面材３１と、框部材３２とを備える。
框部材３２は、上框３３と、下框３４と、戸先框３５と、外召合せ框５とを框組みすることにより構成され、内部で面材３１の外周縁部を保持する。ここで、外召合せ框５は、本発明に係る対向部材に相当する。
これら各框部材３３〜３５，５は、塩化ビニル樹脂（ＰＶＣ）等の樹脂製の押出形材であり、全長に亘って略一様な断面形状を有する。
なお、外召合せ框５の詳細な構造については後述する。
【００２２】
内障子４は、本発明に係る障子に相当する。この内障子４は、窓枠２に対して図１中、左右方向にスライド移動可能に取り付けられている。そして、内障子４は、外障子３における面材３１及び框部材３２（上框３３、下框３４、戸先框３５、及び外召合せ框５を含む）とそれぞれ同様の面材４１及び框部材４２（上框４３、下框４４、戸先框４５、及び内召合せ框６を含む）を備える。ここで、内召合せ框６は、本発明に係る戸尻側框に相当する。
なお、内召合せ框６の詳細な構造については後述する。
そして、上述した外障子３及び内障子４において、戸先框３５が左縦枠２３に当接するとともに、戸先框４５が右縦枠２４に当接した場合には、外召合せ框５と内召合せ框６とが見込み方向に互いに対向するとともに互いに係合する。そして、開口部Ｏｐは、外障子３及び内障子４にて閉塞される。この状態では、外召合せ框５と内召合せ框６との間は、クレセント錠７によってロック可能である。当該クレセント錠７によりロックすることにより、外障子３及び内障子４は、開口部Ｏｐを閉塞した状態に保持される。ここで、クレセント錠７は、本発明に係る錠に相当する。
【００２３】
次に、外召合せ框５及び内召合せ框６の構造について説明する。
図２〜図４は、第１〜第３領域Ａｒ１〜Ａｒ３の横断面図をそれぞれ示している。
ここで、第１領域Ａｒ１は、外召合せ框５及び内召合せ框６における上下方向の略中央領域である。また、第２領域Ａｒ２は、外召合せ框５及び内召合せ框６における上下端部にそれぞれ位置する領域である。さらに、第３領域Ａｒ３は、第１，第２領域Ａｒ１，Ａｒ２の間にそれぞれ位置する領域である。
【００２４】
外召合せ框５について、以下で記載する内周側とは、框部材３２の内周側であって、図２〜図４中、左側を意味する。また、外召合せ框５について、以下で記載する外周側とは、框部材３２の外周側であって、図２〜図４中、右側を意味する。
外召合せ框５は、中空部５１と、面材保持部５２と、突出部５３とを備える。
中空部５１は、図２〜図４中、左右方向に並設された第１，第２中空部５１１，５１２を備える。
第１，第２中空部５１１，５１２は、外召合せ框５の長手方向に沿い、当該外召合せ框５の全長に亘って延在する角筒形状をそれぞれ有する。
第１中空部５１１内には、外補強部材５４が設けられている。
外補強部材５４は、ステンレス、スチール、あるいはアルミニウム等の不燃性または難燃性の部材で構成され、外召合せ框５を補強する部分であり、本発明に係る補強部材に相当する。この外補強部材５４は、２部材で構成され、ネジ等の締結部材により互いに組み付けられることにより断面略Ｏ字形状を有し、第１中空部５１１の全長に亘って設けられている。そして、外補強部材５４の外面において、第１中空部５１１の室内側の側壁部５１５、第１中空部５１１の室外側の側壁部、及び内周側の側壁部に対向する位置には、加熱されることで膨張する熱膨張性部材ＴＲ０，ＴＲ１，ＴＲ２がそれぞれ貼り付けられている。なお、側壁部５１５は、本発明に係る第１の側壁部に相当する。
ここで、熱膨張性部材ＴＲ１，ＴＲ２は、外補強部材５４の略全長に亘ってそれぞれ設けられている。一方、熱膨張性部材ＴＲ０は、第３領域Ａｒ３のみに設けられている。
また、外補強部材５４の外面において、熱膨張性部材ＴＲ０に対する上下の各位置（第１，第２領域Ａｒ１，Ａｒ２）には、ステンレス、スチール、あるいはアルミニウム等の不燃性または難燃性の裏板５４１がそれぞれ設けられている。これら裏板５４１は、外補強部材５４の全長よりも短いピース状の部材であり、上下方向に延在する平面視矩形状の平板でそれぞれ構成され、ネジ等の締結部材Ｓｃ０により、外補強部材５４の外面にそれぞれ固定されている。
【００２５】
また、中空部５１において、内周側の見込み面の室外側には、外周側に窪む押縁係合溝５１３が形成されている。そして、押縁係合溝５１３には、塩化ビニル樹脂（ＰＶＣ）等の樹脂製の押縁５５が取り付けられる。
面材保持部５２は、中空部５１において、内周側の見込み面の室内側の縁部から内周側に突出した部分である。
そして、面材３１の端部は、面材保持部５２と、押縁５５と、中空部５１の内周側の見込み面とで構成される断面視Ｕ字状の溝部５１４に配置された状態で保持される。また、溝部５１４の底部分において、面材３１の端部に対向する位置には、加熱されることで膨張する熱膨張性部材ＴＲ３が貼り付けられている。
【００２６】
突出部５３は、中空部５１における室内側の外面（見付け面）の外周側の縁部から室内側に突出した部分である。そして、突出部５３において、２つの第３領域Ａｒ３には、当該突出部５３における先端部分の内周側の縁部から内周側に向けてヒレ状に突出した外煙返し片５３１（図４）がそれぞれ形成されている。
また、中空部５１における室内側の外面（見付け面）には、外煙返し部材５６（図２，図３）が設けられている。
外煙返し部材５６は、ステンレス、スチール、あるいはアルミニウム等の不燃性または難燃性の部材で構成され、本発明に係る取付部材に相当する。この外煙返し部材５６は、中空部５１の全長よりも短いピース状の部材であり、第１，第２領域Ａｒ１，Ａｒ２における突出部５３の内周側の位置にのみそれぞれ設けられている。また、これら外煙返し部材５６は、断面略Ｕ字形状をそれぞれ有する。そして、各外煙返し部材５６は、当該Ｕ字状の開口部分が内周側を向く姿勢で、ネジ等の締結部材Ｓｃ１により、側壁部５１５を介して外補強部材５４（裏板５４１）にそれぞれ固定される。また、各外煙返し部材５６における側壁部５１５に対向する部位５６１の室内側の面には、加熱されることで膨張する熱膨張性部材ＴＲ４がそれぞれ貼り付けられている。
なお、外煙返し部材５６の詳細な取付構造については、後述する。
【００２７】
さらに、中空部５１における室内側の外面（見付け面）には、クレセント受け５７（図２）が設けられている。
クレセント受け５７は、ステンレス、スチール、あるいはアルミニウム等の不燃性または難燃性の部材で構成されている。このクレセント受け５７は、中空部５１の全長よりも短いピース状の部材であり、第１領域Ａｒ１に設けられた外煙返し部材５６の内周側の位置にのみ設けられている。また、クレセント受け５７は、側壁部５１５から面材保持部５２に沿って延在するとともに、先端部分が室内側に向けて鉤状に屈曲した形状を有する。そして、クレセント受け５７は、ネジ等の締結部材Ｓｃ２により、側壁部５１５を介して外補強部材５４に固定される。
【００２８】
内召合せ框６について、以下で記載する内周側とは、框部材４２の内周側であって、図２〜図４中、右側を意味する。また、内召合せ框６について、以下で記載する外周側とは、框部材４２の外周側であって、図２〜図４中、左側を意味する。
内召合せ框６は、外召合せ框５における中空部５１（第１，第２中空部５１１，５１２押縁係合溝５１３、及び押縁５５を含む）、面材保持部５２（溝部５１４及び熱膨張性部材ＴＲ３を含む）、及び突出部５３とそれぞれ同様の中空部６１（第１，第２中空部６１１，６１２、押縁係合溝６１３、及び押縁６５を含む）、面材保持部６２（溝部６１４及び熱膨張性部材ＴＲ３を含む）、及び突出部６３を備える。
なお、中空部６１において、室外側の側壁部６１ａ、外周側の側壁部６１ｂ、室内側の側壁部６１ｃ、及び内周側の側壁部６１ｄは、本発明に係る側壁部に相当する。また、側壁部６１ａは、本発明に係る第１の側壁部に相当する。さらに、側壁部６１ｂは、本発明に係る第２の側壁部に相当する。
【００２９】
ここで、第１中空部６１１内には、内補強部材６４が設けられている。
内補強部材６４は、ステンレス、スチール、あるいはアルミニウム等の不燃性または難燃性の部材で構成され、内召合せ框６を補強する部分であり、本発明に係る補強部材に相当する。この内補強部材６４は、断面略Ｕ字形状を有し、当該Ｕ字状の開口部分が外周側に向く姿勢で第１中空部６１１内に配設される。また、内補強部材６４は、第１中空部６１１の全長に亘って設けられている。そして、内補強部材６４の外面において、側壁部６１ｃ，６１ｄに対向する位置には、加熱されることで膨張する熱膨張性部材ＴＲ５，ＴＲ６がそれぞれ貼り付けられている。さらに、内補強部材６４における室内側の内面には、加熱されることで膨張する熱膨張性部材ＴＲ７が貼り付けられている。また、内補強部材６４には、固定部材６６（図２）が設けられている。
固定部材６６は、ステンレス、スチール、あるいはアルミニウム等の不燃性または難燃性の部材で構成されている。この固定部材６６は、中空部６１の全長よりも短いピース状の部材であり、第１領域Ａｒ１のみに設けられている。また、固定部材６６は、断面略Ｌ字形状を有する。そして、固定部材６６は、内補強部材６４のＵ字状の開口部分を閉塞するように、ネジ等の締結部材Ｓｃ３により、当該内補強部材６４に固定される。
【００３０】
また、第２中空部６１２内には、連結部材６７（図２）が設けられている。
連結部材６７は、ステンレス、スチール、あるいはアルミニウム等の不燃性または難燃性の部材で構成され、クレセント錠７と内補強部材６４とを連結する部材である。この連結部材６７は、中空部６１の全長よりも短いピース状の部材であり、第１領域Ａｒ１のみに設けられている。そして、連結部材６７は、ネジ等の締結部材Ｓｃ４により、第１，第２中空部６１１，６１２を区画する壁部６１ｅを介して固定部材６６に固定される。
ここで、クレセント錠７は、第１領域Ａｒ１に設けられている。このクレセント錠７は、台座７１と、鎌錠７２とを備える。
台座７１は、ステンレス、スチール、あるいはアルミニウム等の不燃性または難燃性の部材で構成されている。そして、台座７１は、ネジ等の締結部材Ｓｃ５により、側壁部６１ｂを介して連結部材６７に固定される。ここで、台座７１は、一部が中空部６１よりも室外側に突出した状態で固定される。なお、締結部材Ｓｃ５は、本発明に係る第２の締結部材に相当する。
鎌錠７２は、本発明に係るロック片に相当する。この鎌錠７２は、ステンレス、スチール、あるいはアルミニウム等の不燃性または難燃性の部材で構成され、台座７１に対して回動可能に支持されている。そして、鎌錠７２は、ユーザ操作により回動することで、クレセント受け５７に係合した施錠状態、あるいは、クレセント受け５７に係合しない解錠状態に設定される。
【００３１】
さらに、突出部６３は、第２，第３領域Ａｒ２，Ａｒ３のみに設けられている。すなわち、第１領域Ａｒ１では、突出部６３の一部が切り欠かれている。以下では、当該切り欠かれた部分を切欠部６３１（図６参照）と記載する。
そして、側壁部６１ａの室外側の面（見付け面）には、突出部６３に対して内周側の位置に、内煙返し部６８（図４）が設けられている。
内煙返し部６８は、２つの第３領域Ａｒ３のみにそれぞれ設けられている。この内煙返し部６８は、室外側に突出するとともに、先端部分の内周側の縁部から内周側に向けてヒレ状に突出した内煙返し片６８１を備える。そして、内煙返し片６８１は、外障子３及び内障子４にて開口部Ｏｐを閉塞した際に、外煙返し片５３１に係合する。
【００３２】
また、側壁部６１ａの室外側の面（見付け面）には、取付部材１０が設けられている。
取付部材１０は、上下方向（内召合せ框６の長手方向）に連設される第１〜第３取付部材１１〜１３を備える。
図５は、第１取付部材１１を示す斜視図である。図６は、第１取付部材１１の取付構造を示す分解斜視図である。図７は、第１取付部材１１と第３取付部材１３との位置関係を室外側から見た図である。
以下、図２、図５ないし図７を参照しつつ、第１取付部材１１について説明する。
第１取付部材１１は、ステンレス、スチール、あるいはアルミニウム等の不燃性または難燃性の部材で構成されている。この第１取付部材１１は、中空部６１の全長よりも短いピース状の部材であり、第１領域Ａｒ１のみに設けられている。そして、第１取付部材１１は、固定部１１１と、第１，第２立上片１１２，１１３と、重なり片１１４と、内煙返し片１１５とを備える。
【００３３】
固定部１１１は、上下方向に延在する平面視矩形状の平板で構成され、各板面が室内側及び室外側に向く姿勢で配置される。この固定部１１１において、上下両端部側には、表裏を貫通する挿通孔１１６がそれぞれ形成されている。また、これら挿通孔１１６の周縁部分は、絞り加工や突き出し加工等のプレス加工により、室内側にそれぞれ膨出し、円錐台形状をそれぞれ有する。なお、当該周縁部分は、本発明に係る位置固定部に相当する。以下では、説明の便宜上、当該周縁部分を位置固定部１４と記載する。
第１立上片１１２は、固定部１１１における上下の各縁部から室外側にそれぞれ屈曲して延在した部分である。
第２立上片１１３は、固定部１１１における外周側の縁部から室外側に屈曲して延在した部分である。
重なり片１１４は、固定部１１１における内周側の縁部から室外側に屈曲して延在し、第２立上り片１１３に対向する部分である。ここで、重なり片１１４は、第２立上り片１１３（固定部１１１）よりも上端部が上方に位置し、かつ、下端部が下方に位置する。すなわち、重なり片１１４は、第２立上り片１１３（固定部１１１）よりも上下方向の長さ寸法が長く設定されている。そして、第１，第３取付部材１１，１３を内召合せ框６に取り付けた状態では、重なり片１１４は、上下に連設される第３取付部材１３に対して内周側に位置し、内召合せ框６の見付け方向に重なり合う（図７）。
内煙返し片１１５は、重なり片１１４における室外側の縁部から内周側に屈曲して延在した部分である。
【００３４】
ここで、側壁部６１ａにおいて、各挿通孔１１６に対応する位置には、表裏を貫通する貫通孔６１５がそれぞれ形成されている。
そして、第１取付部材１１は、各挿通孔１１６と各貫通孔６１５とにそれぞれネジ等の締結部材Ｓｃ６を挿通するとともに、当該各締結部材Ｓｃ６を内補強部材６４に締結することにより、当該内補強部材６４に対して固定される。なお、締結部材Ｓｃ６は、本発明に係る第１の締結部材に相当する。そして、締結部材Ｓｃ６にて第１取付部材１１を内補強部材６４に固定した状態では、各位置固定部１４は、各貫通孔６１５に挿通されるとともに、内補強部材６４にそれぞれ当接する。また、固定部１１１は、側壁部６１ａに沿って、切欠部６３１を介して、側壁部６１ｂ側に張り出す。そして、第２立上片１１３は、台座７１における中空部６１よりも室外側に突出した部位に対向する。すなわち、第２立上片１１３は、本発明に係る対向部に相当する。ここで、第２立上片１１３の見込み面は、側壁部６１ｂの見込み面と見付け方向において略同じ位置に位置する（図７）。また、第２立上片１１３の上下方向の長さは、クレセント錠７の台座７１の上下方向の長さと略同じ長さである。さらに、重なり片１１４及び内煙返し片１１５は、２つの第３領域Ａｒ３にそれぞれ設けられた内煙返し部６８の間に位置し、当該内煙返し部６８に連設される。そして、内煙返し片１１５は、外障子３及び内障子４にて開口部Ｏｐを閉塞した際に、第１領域Ａｒ１に設けられた外煙返し部材５６に係合する。すなわち、第１取付部材１１は、煙返し部材である。また、固定部１１１における室外側の面には、加熱されることで膨張する熱膨張性部材ＴＲ８が貼り付けられる。
【００３５】
以下、図３を参照しつつ、第２取付部材１２について説明する。
第２取付部材１２は、ステンレス、スチール、あるいはアルミニウム等の不燃性または難燃性の部材で構成されている。この第２取付部材１２は、中空部６１の全長よりも短いピース状の部材であり、２つの第２領域Ａｒ２のみにそれぞれ設けられている。そして、これら第２取付部材１２は、第１取付部材１１における固定部１１１（挿通孔１１６及び位置固定部１４を含む）、第１立上片１１２、及び内煙返し片１１５とそれぞれ同様の固定部１２１（挿通孔１２４及び位置固定部１５を含む）、第１立上片１２２、及び内煙返し片１２３をそれぞれ備える。すなわち、各第２取付部材１２は、第１取付部材１１における外周側の一部（固定部１１１、第１，第２立上片１１２，１１３）を省略した形状をそれぞれ有する。
【００３６】
ここで、側壁部６１ａにおいて、各挿通孔１２４に対応する位置には、表裏を貫通する貫通孔６１６がそれぞれ形成されている。
そして、各第２取付部材１２は、各挿通孔１２４と各貫通孔６１６とにそれぞれネジ等の締結部材Ｓｃ７を挿通するとともに、当該各締結部材Ｓｃ７を内補強部材６４に締結することにより、当該内補強部材６４に対してそれぞれ固定される。なお、締結部材Ｓｃ７は、本発明に係る第１の締結部材に相当する。そして、締結部材Ｓｃ７にて各第２取付部材１２を内補強部材６４に固定した状態では、各第２取付部材１２は、２つの第２領域Ａｒ２にそれぞれ設けられた突出部６３に対して内周側に位置付けられる。また、各位置固定部１５は、各貫通孔６１６に挿通されるとともに、内補強部材６４にそれぞれ当接する。さらに、各内煙返し片１２３は、２つの第３領域Ａｒ３にそれぞれ設けられた内煙返し部６８の上方側及び下方側にそれぞれ連設される。そして、各内煙返し片１２３は、外障子３及び内障子４にて開口部Ｏｐを閉塞した際に、２つの第２領域Ａｒ２にそれぞれ設けられた外煙返し部材５６に係合する。すなわち、第２取付部材１２は、煙返し部材である。また、固定部１２１における室外側の面には、加熱されることで膨張する熱膨張性部材ＴＲ９が貼り付けられる。
【００３７】
以下、図４を参照しつつ、第３取付部材１３について説明する。
第３取付部材１３は、ステンレス、スチール、あるいはアルミニウム等の不燃性または難燃性の部材で構成されている。この第３取付部材１３は、中空部６１の全長よりも短いピース状の部材であり、２つの第３領域Ａｒ３のみにそれぞれ設けられている。そして、これら第３取付部材１３は、固定部１３１と、一対の保持部１３２とをそれぞれ備える。
固定部１３１は、上下方向に延在する平面視矩形状の平板状で、各板面が室内側及び室外側を向く姿勢で配置される。この固定部１３１には、上述した挿通孔１１６とそれぞれ同様の複数の挿通孔１３３が上下方向に並設されている。また、複数の挿通孔１３３の周縁部分には、上述した位置固定部１４とそれぞれ同様の位置固定部１６がそれぞれ形成されている。
一対の保持部１３２は、固定部１３１における内周側及び外周側の各縁部から室外側に屈曲して延在した部分である。そして、一対の保持部１３２における互いに対向する位置には、加熱されることで膨張する熱膨張性部材ＴＲ１０が挿通される挿通溝１３２ａがそれぞれ形成されている。
【００３８】
ここで、側壁部６１ａにおいて、各挿通孔１３３に対応する位置には、表裏を貫通する貫通孔６１７がそれぞれ形成されている。
そして、各第３取付部材１３は、各挿通孔１３３と各貫通孔６１７とにそれぞれネジ等の締結部材Ｓｃ８を挿通するとともに、当該各締結部材Ｓｃ８を内補強部材６４に締結することにより、当該内補強部材６４に対してそれぞれ固定される。なお、締結部材Ｓｃ８は、本発明に係る第１の締結部材に相当する。そして、締結部材Ｓｃ８にて各第３取付部材１３を内補強部材６４に固定した状態では、各第３取付部材１３は、２つの第３領域Ａｒ３にそれぞれ設けられた突出部６３及び内煙返し部６８の間にそれぞれ位置付けられる。また、各位置固定部１６は、各貫通孔６１７に挿通されるとともに、内補強部材６４にそれぞれ当接する。そして、熱膨張性部材ＴＲ１０を挿通溝１３２ａに挿通することにより、締結部材Ｓｃ８は、当該熱膨張性部材ＴＲ１０により隠蔽される。
【００３９】
以下、図２及び図３を参照しつつ、外煙返し部材５６の取付構造について説明する。
外煙返し部材５６における側壁部５１５に対向する部位５６１には、上述した挿通孔１１６とそれぞれ同様の複数（本実施の形態１では２つ）の挿通孔５６２が上下方向に並設されている。また、２つの挿通孔５６２の周縁部分には、上述した位置固定部１４とそれぞれ同様の位置固定部１７がそれぞれ形成されている。
ここで、側壁部５１５において、各挿通孔５６２に対応する位置には、表裏を貫通する貫通孔５１６がそれぞれ形成されている。
そして、各外煙返し部材５６は、各挿通孔５６２と各貫通孔５１６とにそれぞれ締結部材Ｓｃ１を挿通するとともに、当該各締結部材Ｓｃ１を外補強部材５４（裏板５４１）に締結することにより、当該外補強部材５４（裏板５４１）に対してそれぞれ固定される。なお、締結部材Ｓｃ１は、本発明に係る第１の締結部材に相当する。そして、締結部材Ｓｃ１にて各外煙返し部材５６を外補強部材５４に固定した状態では、各外煙返し部材５６は、突出部５３に対して内周側に位置付けられる。また、各位置固定部１７は、各貫通孔５１６に挿通されるとともに、外補強部材５４（裏板５４１）にそれぞれ当接する。さらに、各外煙返し部材５６における室内側の部位５６３は、２つの第３領域Ａｒ３にそれぞれ設けられた外煙返し片５３１に対して上下に連設される。
【００４０】
（実施の形態２）
次に、本発明の実施の形態２について説明する。
以下の説明では、実施の形態１と同様の構成には同一符号を付し、その詳細な説明は省略または簡略化する。
図８は、本実施の形態２に係る第１取付部材１１Ａを示す斜視図である。図９は、第１取付部材１１Ａの取付構造を示す分解斜視図である。
上述した実施の形態１に係る第１取付部材１１では、位置固定部１４は、挿通孔１１６の周縁部分に設けられていた。
これに対して本実施の形態２に係る第１取付部材１１Ａでは、位置固定部１４が省略され、挿通孔１１６から離間した位置に位置固定部１４Ａが形成されている。
【００４１】
具体的に、位置固定部１４Ａは、２つの挿通孔１１６の間に位置し、上下方向に並設するように２つ形成されている。これら位置固定部１４Ａは、絞り加工や突き出し加工等のプレス加工により、室内側にそれぞれ膨出し、先端部分が固定部１１１の板面に平行となる平坦面でそれぞれ構成されている。
ここで、側壁部６１ａにおいて、各位置固定部１４Ａに対応する位置には、表裏を貫通する貫通孔６１５Ａがそれぞれ形成されている。
そして、締結部材Ｓｃ６にて第１取付部材１１Ａを内補強部材６４に固定した状態では、各位置固定部１４Ａは、各貫通孔６１５Ａに挿通されるとともに、内補強部材６４にそれぞれ当接する。
【００４２】
（実施の形態３）
次に、本発明の実施の形態３について説明する。
以下の説明では、実施の形態１と同様の構成には同一符号を付し、その詳細な説明は省略または簡略化する。
図１０は、本実施の形態３に係る第１取付部材１１Ｂを示す斜視図である。図１１は、第１取付部材１１Ｂの取付構造を示す分解斜視図である。
上述した実施の形態１に係る第１取付部材１１では、位置固定部１４は、当該第１取付部材１１に一体形成されていた。
これに対して本実施の形態３では、第１取付部材１１Ｂと位置固定部１４Ｂとが別体で構成されている。
【００４３】
具体的に、第１取付部材１１Ｂは、上述した実施の形態１で説明した第１取付部材１１に対して、位置固定部１４が省略された部材である。
位置固定部１４Ｂは、締結部材Ｓｃ６が挿通されるとともに、挿通孔１１６よりも径寸法が大きく貫通孔６１５よりも径寸法が小さい円環形状を有し、ステンレス、スチール、あるいはアルミニウム等の不燃性または難燃性のワッシャで構成されている。また、位置固定部１４Ｂは、２つの挿通孔１１６に対応して２つ設けられている。これら位置固定部１４Ｂは、締結部材Ｓｃ６を介して第１取付部材１１Ｂにそれぞれ取り付けられる。そして、締結部材Ｓｃ６にて第１取付部材１１Ｂを内補強部材６４に固定した状態では、各位置固定部１４Ｂは、貫通孔６１５に挿通され、固定部１１１における室内側の板面と内補強部材６４とにそれぞれ当接する。
【００４４】
（実施の形態４）
次に、本発明の実施の形態４について説明する。
以下の説明では、実施の形態１と同様の構成には同一符号を付し、その詳細な説明は省略または簡略化する。
図１２は、本実施の形態４に係る第１取付部材１１Ｃを示す斜視図である。図１３は、第１取付部材１１Ｃの取付構造を示す分解斜視図である。
上述した実施の形態１に係る第１取付部材１１では、位置固定部１４は、絞り加工や突き出し加工等のプレス加工により形成されていた。
これに対して本実施の形態４では、第１取付部材１１Ｃと位置固定部１４Ｃとを別体で構成し、溶接等により互いに一体化させている。
【００４５】
具体的に、第１取付部材１１Ｃは、上述した実施の形態１で説明した第１取付部材１１に対して、位置固定部１４が省略された部材である。
位置固定部１４Ｃは、ステンレス、スチール、あるいはアルミニウム等の不燃性または難燃性の部材であり、上下方向に延在する平面視矩形状の平板で構成され、第１取付部１１Ｃにおける固定部１１１の室内側の面に対して、溶接等により固定されている。この位置固定部１４Ｃにおいて、２つの挿通孔１１６に対応した各位置には、表裏を貫通し、締結部材Ｓｃ６が挿通される挿通孔１４１それぞれ形成されている。
ここで、側壁部６１ａにおいて、位置固定部１４Ｃに対応する位置には、表裏を貫通し、当該位置固定部１４Ｃを挿通可能とする貫通孔６１５Ｃが形成されている。
そして、位置固定部１４Ｃが一体化された第１取付部材１１Ｃを締結部材Ｓｃ６にて内補強部材６４に固定した状態では、位置固定部１４Ｃは、貫通孔６１５Ｃに挿通されるとともに、内補強部材６４に当接する。
【００４６】
（実施の形態５）
次に、本発明の実施の形態５について説明する。
以下の説明では、実施の形態１と同様の構成には同一符号を付し、その詳細な説明は省略または簡略化する。
図１４は、本実施の形態５に係る外煙返し部材５６Ｄを示す斜視図である。図１５は、外煙返し部材５６Ｄの取付構造を示す分解斜視図である。
上述した実施の形態１に係る外煙返し部材５６では、位置固定部１７は、絞り加工や突き出し加工等のプレス加工により形成されていた。
これに対して本実施の形態５では、外煙返し部材５６Ｄと位置固定部１７Ｄとを別体で構成し、溶接等により互いに一体化させている。
【００４７】
具体的に、外煙返し部材５６Ｄは、上述した実施の形態１で説明した外煙返し部材５６に対して、位置固定部１７が省略された部材である。
位置固定部１７Ｄは、上述した実施の形態４で説明した位置固定部１４Ｃと略同一の部材であり、２つの挿通孔５６２に対応した各位置に締結部材Ｓｃ１を挿通可能とする挿通孔１７１をそれぞれ有する平板で構成されている。そして、位置固定部１７Ｄは、外煙返し部材５６Ｄにおける部位５６１の室外側の面に対して、溶接等により固定される。
ここで、側壁部５１５において、位置固定部１７Ｄに対応する位置には、表裏を貫通し、当該位置固定部１７Ｄを挿通可能とする貫通孔５１６Ｄが形成されている。
そして、位置固定部１７Ｄが一体化された外煙返し部材５６Ｄを締結部材Ｓｃ１にて外補強部材５４（裏板５４１）に固定した状態では、位置固定部１７Ｄは、貫通孔５１６Ｄに挿通されるとともに、外補強部材５４（裏板５４１）に当接する。
【００４８】
（その他の実施の形態）
ここまで、本発明を実施するための形態を説明してきたが、本発明は上述した実施の形態１〜５によってのみ限定されるべきものではない。
上述した実施の形態１〜５では、本発明に係る建具を引違い窓で構成していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンウォール等、各種の建具に本発明を採用しても構わない。
【００４９】
上述した実施の形態１〜５では、本発明に係る取付部材（取付部材１０及び外煙返し部材５６）を内召合せ框６や外召合せ框５に取り付けていたが、これに限らず、各枠部材２１〜２４、各框部材３３〜３５、４３〜４５等に取り付けても構わない。
上述した実施の形態１，２，４では、位置固定部１４〜１６，１４Ａ，１４Ｃを取付部材１０に一体形成あるいは一体化していたが、これに限らず、内補強部材６４に一体形成あるいは一体化しても構わない。また、位置固定部１４〜１６，１４Ａ，１４Ｃを取付部材１０及び内補強部材６４の双方にそれぞれ一体形成あるいは一体化しても構わない。同様に、上述した実施の形態５では、位置固定部１７，１７Ｄを外煙返し部材５６に一体形成あるいは一体化していたが、これに限らず、外補強部材５４に一体形成あるいは一体化しても構わない。また、位置固定部１７，１７Ｄを外煙返し部材５６及び外補強部材５４の双方にそれぞれ一体形成あるいは一体化しても構わない。
【００５０】
上述した実施の形態２において、第２，第３取付部材１２，１３についても、第１取付部材１１Ａの取付構造と同一の取付構造により、内補強部材６４に対して固定しても構わない。同様に、上述した実施の形態３において、第２，第３取付部材１２，１３についても、第１取付部材１１Ｂの取付構造と同一の取付構造により、内補強部材６４に対して固定しても構わない。同様に、上述した実施の形態４において、第２，第３取付部材１２，１３についても、第１取付部材１１Ｃの取付構造と同一の取付構造により、内補強部材６４に対して固定しても構わない。
【００５１】
上述した実施の形態１〜５では、位置固定部１４〜１６，１４Ａ〜１４Ｃ，１７，１７Ｄは、貫通孔６１５〜６１７，６１５Ａ，５１６，５１６Ｄを介して、内補強部材６４や外補強部材５４（裏板５４１）に当接する構成を採用していたが、これに限らない。すなわち、位置固定部１４〜１６，１４Ａ〜１４Ｃ，１７，１７Ｄが内補強部材６４や外補強部材５４（裏板５４１）に当接しない構成としても構わない。
上述した実施の形態１〜５において、本発明に係る第１の締結部材（締結部材Ｓｃ１，Ｓｃ６〜Ｓｃ８）や位置固定部１４〜１６，１４Ａ〜１４Ｃ，１７，１７Ｄの数は、上述した実施の形態１〜５で説明した数に限らず、その他の数だけ設けても構わない。
上述した実施の形態１〜５では、本発明に係る錠として、本発明に係るロック片（鎌錠７２）が回動するクレセント錠７を採用していたが、これに限らず、当該ロック片が移動するその他の錠で構成しても構わない。
【符号の説明】
【００５２】
１  建具、４  内障子（障子）、５  外召合せ框（対向部材）、６  内召合せ框（戸尻側框）、７  クレセント錠（錠）、１０  取付部材、１１，１１Ａ，１１Ｂ  第１取付部材、１２  第２取付部材、１３  第３取付部材、１４〜１６，１４Ａ〜１４Ｃ，１７，１７Ｄ  位置固定部、５１，６１  中空部、５４  外補強部材（補強部材）、５６，５６Ｄ  外煙返し部材（取付部材）、６１ａ  側壁部（第１の側壁部）、６１ｂ  側壁部（第２の側壁部、６１ｃ，６１ｄ  側壁部、６４  内補強部材（補強部材）、７１  台座、７２  鎌錠（ロック片）、１１１  固定部、１１３  第２立上片（対向部）、１１４  重なり片、５１５  側壁部、５１６，５１６Ｄ，６１５〜６１７，６１５Ａ，６１５Ｃ  貫通孔、Ｓｃ１，Ｓｃ６〜Ｓｃ８  締結部材（第１の締結部材）、Ｓｃ５  締結部材（第２の締結部材）、ＴＲ０，ＴＲ８，ＴＲ９，ＴＲ１０  熱膨張性部材
【図１】
2019070275.tif 000003
【図２】
2019070275.tif 000004
【図３】
2019070275.tif 000005
【図４】
2019070275.tif 000006
【図５】
2019070275.tif 000007
【図６】
2019070275.tif 000008
【図７】
2019070275.tif 000009
【図８】
2019070275.tif 000010
【図９】
2019070275.tif 000011
【図１０】
2019070275.tif 000012
【図１１】
2019070275.tif 000013
【図１２】
2019070275.tif 000014
【図１３】
2019070275.tif 000015
【図１４】
2019070275.tif 000016
【図１５】
2019070275.tif 000017